(57)【要約】【課題】操作性を保ったまま処理状態に応じて視野角を自動的に調整して覗き見を防止することができる商品販売データ処理装置およびその制御プログラムを提供すること。【解決手段】視野角を第１の視野角又はこの第１の視野角よりも狭い第２の視野角のいずれかに設定することができる偏光板２ｃ，３ｃをオペレータ側表示器２，客側表示器３に設ける。そして、個人情報が表示されるとき、特定の操作キーが操作されたとき、カードリーダ５で磁気カードが読み取られたときなど商品販売データ処理装置の処理状態に応じて、制御部１１の制御により偏光板２ｃ，３ｃを動作させてオペレータ側表示器２および客面側表示器３の表示画面の視野角を第１の視野角又は第２の視野角のいずれかに設定させる。【選択図】    図２
2010128704.tif 000002
【特許請求の範囲】
【請求項１】
各種情報を表示する表示手段を備えた商品販売データ処理装置において、
前記表示手段の表示画面の視野角を第１の視野角又はこの第１の視野角よりも狭い第２の視野角のいずれかに設定する視野角設定手段と、
当該商品販売データ処理装置の処理状態に応じて、前記視野角設定手段を動作させて前記表示手段の表示画面の視野角を前記第１の視野角又は前記第２の視野角のいずれかに設定させる視野角制御手段とを備えてなることを特徴とする商品販売データ処理装置。
【請求項２】
前記視野角制御手段は、前記表示手段に個人情報が表示されている間、前記視野角設定手段に前記表示画面の視野角を前記第２の視野角に設定させることを特徴とする請求項１に記載の商品販売データ処理装置。
【請求項３】
各種操作キーを有する入力手段をさらに備え、
前記視野角制御手段は、前記入力手段が備える操作キーのうち、その操作により個人情報の表示を伴う特定の操作キーが操作されたことに応じて前記視野角設定手段に前記表示画面の視野角を前記第２の視野角に設定させることを特徴とする請求項１に記載の商品販売データ処理装置。
【請求項４】
磁気カードを読み取るカード読取手段をさらに備え、
前記視野角制御手段は、前記カード読取手段により磁気カードが読み取られたとき、前記視野角設定手段に前記表示手段の表示画面の視野角を前記第２の視野角に設定させ、磁気カードの読み取りに伴う一連の処理が完了したとき、前記視野角設定手段に前記表示手段の表示画面の視野角を前記第１の視野角に設定させることを特徴とする請求項１に記載の商品販売データ処理装置。
【請求項５】
前記表示手段は、オペレータ側表示手段と、客面側表示手段とで構成され、
前記オペレータ側表示手段又は前記客面側表示手段の少なくとも一方が、前記視野角設定手段により視野角を前記第１の視野角又は前記第２の視野角のいずれかに設定可能であることを特徴とする請求項１乃至４のうちいずれか１に記載の商品販売データ処理装置。
【請求項６】
各種情報を表示する表示手段と、この表示手段の表示画面の視野角を第１の視野角又はこの第１の視野角よりも狭い第２の視野角のいずれかに設定する視野角設定手段とを備えた商品販売データ処理装置の制御プログラムであって、
前記商品販売データ処理装置に、処理状態に応じて前記視野角設定手段を動作させて前記表示手段の表示画面の視野角を前記第１の視野角又は前記第２の視野角のいずれかに設定させる視野角制御機能を実現させるための制御プログラム。
【発明の詳細な説明】
【技術分野】
【０００１】
本発明は、スーパーマーケットやコンビニエンスストア等の商品販売店舗にて会計処理に使用される商品販売データ処理装置およびその制御プログラムに関する。
【背景技術】
【０００２】
従来、スーパーマーケットやコンビニエンスストアなどの商品販売店舗では、会計処理にＰＯＳ（Point Of Sales）端末などの商品販売データ処理装置が使用されている。商品販売データ処理装置は、オペレータに対して処理内容を表示するためのオペレータ側表示器、客に対して会計情報などを表示するための客面側表示器、商品に付されたバーコードを読み取るスキャナ、キー操作入力を受け付けるキーボード、クレジットカードなどの磁気カードに記憶された情報を読み取るカードリーダなどを備えている。
【０００３】
上記オペレータ側表示器は、オペレータの身長の違いや、作業中のちょっとした姿勢の違いなどにより画面を見る角度が変わっても表示内容を視認できるように視野角を広くした設計となっている。また、上記客面側表示器に関しても、コマーシャル映像などの宣伝効果を狙った表示を行うことを考慮し、様々な角度から表示内容を視認できるように視野角を広くした設計とすることが一般的である。
【０００４】
ところで、取引の決済をクレジットカードやデビットカードで行う場合や、ポイントカードを使用する場合などには、顧客のクレジットカード番号、年齢、性別、氏名、ポイント数などの個人情報がオペレータ側表示器に表示される。そのため、個人情報保護の観点から、オペレータ側表示器の表面に微小ルーバー層を持つフィルムを貼り付けて視野角を狭くするという手段をとる店舗も存在する。
【０００５】
また、同様に画面に表示される個人情報を保護するための技術として、表示装置に覗き見防止手段と、画像撮影装置と、この画像撮影装置により顔画像を検出するとともに、検出した顔画像の数を計数する計数手段とを設け、計数手段により計数された顔画像が複数である場合に覗き見防止手段を動作させる表示装置などが知られている。（例えば、特許文献１を参照）
また、透明電極が設けられた基盤によって狭持される高分子分散液晶を有するＰＮＬＣ（Polymer Network Liquid Crystal）などの透明散乱切替素子を用いて視野角を電気的に調整可能とした表示装置が開発されている。（例えば、特許文献２を参照）
特許文献２に記載された表示装置は、透明電極対間に電圧を印加した状態においてポリマー鎖と高分子分散液晶の屈折率が一致し、透明散乱切替素子が透明状態となる。この状態では、光源から発せられた光の出射角度範囲が制限されるので、表示画面の視野角が狭くなる。一方、透明電極対間に電圧が印加されていない状態においては、ポリマー鎖と高分子分散液晶の屈折率が不一致となる。この状態では、光源から発せられた光が透明散乱切替素子を通過する際に散乱する。そのため、光源から発せられた光の出射角度範囲が広くなるので、表示画面の視野角が広くなる。
【特許文献１】特開２００６−２５９９３０号公報
【特許文献２】特開２００８−１０７４０４号公報
【発明の開示】
【発明が解決しようとする課題】
【０００６】
上述の如く、オペレータ側表示器の表面に微小ルーバー層を持つフィルムを貼り付ける場合、視野角が常時狭くなるという欠点がある。そのため、操作画面が見えにくくなり、商品販売データ処理装置の操作に不都合が生じ得る。また、表示画面に感圧方式のタッチパネルを貼り付けてタッチ操作を可能とした表示器の場合には、タッチパネルの入力感度が低下するという問題もある。
【０００７】
また、客面側表示器に関しては、常時視野角が狭くなってしまうのでは上述の宣伝効果を得ることができないので、微小ルーバー層を持つフィルムを貼り付ける方法を採用することはできない。
【０００８】
また、特許文献１に記載された技術では、表示画面の内容如何に関係なく、単純に画像撮影装置に映る顔画像の数だけで覗き見防止機能を動作させるため、誰かに見られても支障がない内容を表示しているに過ぎない場合などにも当該機能が動作してしまう。
【０００９】
本発明は、上記のような事情に鑑みてなされたものであり、その目的は、操作性を保ったまま処理状態に応じて視野角を自動的に調整して覗き見を防止することができる商品販売データ処理装置およびその制御プログラムを提供することである。
【課題を解決するための手段】
【００１０】
本発明は、各種情報を表示する表示手段を備えた商品販売データ処理装置において、前記表示手段の表示画面の視野角を第１の視野角又はこの第１の視野角よりも狭い第２の視野角のいずれかに設定する視野角設定手段と、当該商品販売データ処理装置の処理状態に応じて、前記視野角設定手段を動作させて前記表示手段の表示画面の視野角を前記第１の視野角又は前記第２の視野角のいずれかに設定させる視野角制御手段とを備えてなることを特徴としている。
【発明の効果】
【００１１】
かかる手段を講じた本発明によれば、操作性を保ったまま処理状態に応じて視野角を自動的に調整して覗き見を防止することができる商品販売データ処理装置およびその制御プログラムを提供することができる。
【発明を実施するための最良の形態】
【００１２】
以下、本発明を実施するための第１の実施形態について、図面を参照しながら説明する。  
図１は、本発明に係る商品販売データ処理装置１の外観斜視図である。商品販売データ処理装置１は、本体に表示手段であるオペレータ側表示器２および客面側表示器３、キーボード４およびカード読取手段であるカードリーダ５などを備えている。
【００１３】
オペレータ側表示器２は、オペレータに対して処理内容などの各種情報を表示するためのものである。客面側表示器３は、客に対して商品や店舗の宣伝広告、イベント情報、ニュースおよび天気予報などの各種コマーシャル情報や、取引の代金などを表示するためのものである。これらオペレータ側表示器２および客面側表示器３は、表示画面の表面にタッチパネルを設け、表示画面上のタッチ操作位置を認識可能なタッチパネル式の液晶表示器である。キーボード４は、数値を入力するための置数キー，取引の合計金額を算出するための現計キー，取引の終了を宣言するための締めキーおよびクレジットカードによる決済を宣言するためのカード決済キーなどの各種操作キーを備えている。カードリーダ５は、クレジットカード、デビットカードおよび顧客に対して付与された優待ポイントを記憶したポイントカードなどの磁気カードがスライドされたことに応じて、それらの磁気カードに記憶された情報を読み取る。
【００１４】
次に、商品販売データ処理装置１の制御回路について説明する。図２は、商品販売データ処理装置１の制御回路を示すブロック図である。この制御回路は、制御ユニット１０にオペレータ側表示器２、客面側表示器３、キーボード４およびカードリーダ５を接続して構成されている。
【００１５】
制御ユニット１０は、制御部１１にＲＯＭ（Read Only Memory）１２、ＲＡＭ（Random Access Memory）１３、液晶表示制御部１４およびタッチパネルコントローラ１５をアドレスバスやデータバスなどのバスラインで接続して構成されている。オペレータ側表示器２の表示画面は、表示方向の最上面から順に略同一の大きさのタッチパネル２ａ、液晶パネル２ｂ、視野角設定手段である偏光板２ｃ、バックライトシステム２ｄを重ね合わせた構造を有する。また、客面側表示器３は、オペレータ側表示器２と同じく表示方向の最上面から順に略同一の大きさのタッチパネル３ａ、液晶パネル３ｂ、視野角設定手段である偏光板３ｃ、バックライトシステム３ｄを重ね合わせた構造を有する。
【００１６】
上記制御部１１は、ＣＰＵ（Central Processing Unit）やシステムメモリなどで構成された商品販売データ処理装置１のメインの制御手段である。上記ＲＯＭ１２は、商品販売データ処理装置１の動作に必要なプログラムなどの固定的情報を記憶している。上記ＲＡＭ１３は、処理場面に応じて各種の作業用の記憶領域を形成する。上記液晶表示制御部１４は、液晶パネル２ｂへの画像表示を制御するコントローラや、液晶パネル３ｂへの画像表示を制御するコントローラなどで構成されている。上記タッチパネルコントローラ１５は、タッチパネル２ａのタッチ操作位置を検知するコントローラや、タッチパネル３ａのタッチ操作位置を検知するコントローラなどで構成されている。タッチパネルコントローラ１５で検知されたタッチ操作位置は、制御部１１に伝達される。上記バックライトシステム２ｄ，３ｄは、制御部１１から所定の制御信号を受けたことに応じて点灯または消灯する。
【００１７】
上記偏光板２ｃ，３ｃは、制御部１１から所定の制御信号を受けたことに応じて全体に所定の電圧信号が印加される。上記電圧信号が印加されていない状態においては、バックライトシステム２ｄ，３ｄから発せられた光が拡散光として液晶パネル２ｂ，３ｂ内を通過する。このとき、オペレータ側表示器２および客面側表示器３の画面から発せられる光は、画面に対する法線方向のみならず、全方向に拡散される。そのため、画面の正面のみならず斜め方向にも一定以上の輝度およびコントラスト比が保持され、幅広い範囲からオペレータ側表示器２および客面側表示器３の表示画像を視認することができる。以下、このような状態を広視野角（第１の視野角）状態と称呼する。
【００１８】
一方、上記電圧信号が印加されている状態においては、バックライトシステム２ｄ，３ｄから発せられた光のうち、略直進する光のみが液晶パネル２ｂ，３ｂ内を通過する。このとき、オペレータ側表示器２および客面側表示器３の画面から発せられる光は、画面に対する略法線方向のみに限定される。そのため、オペレータ側表示器２および客面側表示器３を正面から見た場合には、電圧非印加時と同じく表示画面を視認することができるが、斜め方向から見た場合には、正面から見た場合に比べて極端に輝度が低下して表示画像を視認することができない。以下、このように広視野角状態に比べて視野角が狭い状態を狭視野角（第２の視野角）状態と称呼する。
【００１９】
次に、上記のような構成による作用について説明する。  
本実施の形態において、オペレータ側表示器２の表示画面は、通常、広視野角状態となっている。そして、顧客のクレジットカード番号、年齢、性別、氏名、ポイント数などの個人情報を表示する場合においてオペレータ側表示器２の表示画面は、狭視野角状態に切り替わる。
【００２０】
図３は、オペレータ側表示器２の視野角の切り替え処理において制御部１１が実行する処理の流れ図である。この処理は、ＲＯＭ１２に記憶された動作プログラムに基づいて実行される。  
先ず、制御部１１は、ＳＴ１０１としてキーボード４からのキー操作入力を受け付ける。このとき、何らかのキー操作がなされ、オペレータ側表示器２の表示画像が変化する場合には、オペレータ側表示器２に表示すべき画像データを作成する。そして、ＳＴ１０２として、作成した画像データに個人情報が含まれているか否かが判断される。この判断では、例えば予め個人情報に該当する情報の種別を定めてＲＯＭ１２に記憶しておき、画像データ中からその種別に該当する情報を検索し、該当する情報を発見できなかった場合には個人情報は含まれていないと判断し、該当する情報を１つでも発見したときには、個人情報が含まれていると判断するようにする。
【００２１】
このようにして画像データ中に個人情報が含まれているか否かを判断した結果、個人情報が含まれていないと判断した場合には（ＳＴ１０２のＮｏ）、制御部１１は、ＳＴ１０３として偏光板２ｃに対して広視野角状態に移行すべき旨の制御信号を出力する。この信号を受けた偏光板２ｃは、広視野角状態にある場合にはそのまま広視野角状態を維持し、狭視野角状態にある場合には所定の電圧信号の印加を停止して広視野角状態に切り替わる。
【００２２】
一方、上記のようにして画像データ中に個人情報が含まれているか否かを判断した結果、個人情報が含まれていると判断した場合には（ＳＴ１０２のＹｅｓ）、制御部１１は、ＳＴ１０４として偏光板２ｃに対して狭視野角状態に移行すべき旨の制御信号を出力する。この信号を受けた偏光板２ｃは、狭視野角状態にある場合にはそのまま狭視野角状態を維持し、広視野角状態にある場合には所定の電圧信号の印加を開始して狭視野角状態に切り替わる。
【００２３】
このように、オペレータ側表示器２の広視野角状態と狭視野角状態との切り替えを行った後、制御部１１は、ＳＴ１０５として当該画像データを液晶表示制御部１４に出力する。この画像データを受け取った液晶表示制御部１４は、当該画像データに基づく表示信号を液晶パネル２ｂに出力する。表示信号の出力を受けた液晶パネル２ｂは、表示信号に従って画面を表示する。以降においても、上記ＳＴ１０１〜ＳＴ１０５の処理が繰り返し実行される。すなわち、オペレータ側表示器２に個人情報が表示されている間、表示画面の視野角は狭視野角状態に切り替えられ、表示された個人情報が消去されたとき、広視野角状態に切り替えられる。  
ところで、本実施形態において客面側表示器３の表示画面は、コマーシャル情報などを広範囲の顧客に視認させるために、通常、広視野角状態となっている。そして、特定の操作キーが操作されたことに応じて、客面側表示器３の表示画面は、狭視野角状態に切り替わる。
【００２４】
なお、特定の操作キーとは、各種のチケットの販売処理の開始を宣言するためのチケット販売キーや、宅配便の受付処理を開始するための宅配キーなどである。また、特定の操作キーには、キーボード４に配置されたもののほか、オペレータ側表示器２または客面側表示器３の表示画面に表示される操作キーも含む（入力手段）。チケット販売処理においては、顧客に購入するチケットの情報を確認させるために、客面側表示器３にチケット情報を表示する場合、顧客の氏名、住所、年齢などの個人情報を表示する場合、またはＹｅｓ／Ｎｏを選択可能な操作キーを表示して顧客に対しチケット情報や個人情報が正しいか否かの確認を求める場合がある。また、宅配便処理においては、Ｙｅｓ／Ｎｏを選択可能な操作キーを表示して顧客に対して送り元や送り先に関する情報が正しいか否かの確認を求める場合がある。これらの情報は、客が他人に視認されることを望まないケースが多い。
【００２５】
図４は、客面側表示器３の視野角の切り替え処理において制御部１１が実行する処理の流れ図である。この処理は、ＲＯＭ１２に記憶された動作プログラムに基づいて実行される。
【００２６】
先ず、制御部１１は、ＳＴ２０１として偏光板３ｃに対して広視野角状態に移行すべき旨の制御信号を出力する。この信号を受けた偏光板３ｃは、広視野角状態にある場合にはそのまま広視野角状態を維持し、狭視野角状態にある場合には所定の電圧信号の印加を停止して広視野角状態に切り替わる。
【００２７】
続いて、制御部１１は、ＳＴ２０２として客面側表示器３にコマーシャル情報などを表示するための画像データを液晶表示制御部１４に出力する。この画像データを受け取った液晶表示制御部１４は、当該画像データに基づく表示信号を液晶パネル３ｂに出力、表示信号の出力を受けた液晶パネル３ｂは、表示信号に従って画面を表示する。なお、コマーシャル情報などは、ＬＡＮ（Local Area Network）を介して接続されたストアサーバから配信されるものを受信し、ハードディスクドライブなどの記憶手段（図示せず）に記憶したものである。
【００２８】
次に、制御部１１は、ＳＴ２０３として上記特定の操作キーが操作されたか否かを判断する。このとき、特定の操作キーが操作されていないと判断した場合には（ＳＴ２０３のＮｏ）、広視野角状態におけるコマーシャル情報などの表示をそのまま継続する。一方、特定の操作キーが操作されていると判断した場合には（ＳＴ２０３のＹｅｓ）、ＳＴ２０４として偏光板３ｃに対して狭視野角状態に移行すべき旨の制御信号を出力する。この信号を受けた偏光板３ｃは、狭視野角状態にある場合にはそのまま狭視野角状態を維持し、広視野角状態にある場合には所定の電圧信号の印加を開始して狭視野角状態に切り替わる。
【００２９】
このように、客面側表示器３の視野角を狭視野角に切り替えた後、制御部１１は、ＳＴ２０５として当該キー操作により開始される処理に応じた画像データを液晶表示制御部１４に出力する。この画像データを受け取った液晶表示制御部１４は、当該画像データに基づく表示信号を液晶パネル３ｂに出力し、表示信号の出力を受けた液晶パネル３ｂは、表示信号に従って画面を表示する。しかる後、制御部１１は、ＳＴ２０６として当該操作キーの操作により開始された一連の処理の完了を待ち、処理が完了したときには（ＳＴ２０６のＹｅｓ）、再び客面側表示器３にコマーシャル情報などを表示すべく、ＳＴ２０１の処理に戻る。
【００３０】
なお、制御部１１が、ＳＴ１０１〜ＳＴ１０５にてオペレータ側表示器２に個人情報が表示されている間、偏光板２ｃを動作させて表示画面の視野角を狭視野角に設定させる処理、また、ＳＴ２０１〜２０６にて特定の操作キーが操作されたことに応じて偏光板３ｃを動作させて客面側表示器３の視野角を狭視野角に設定させる処理は、商品販売データ処理装置１の処理状態に応じて視野角を制御する視野角制御手段を構成する。
【００３１】
以上説明したように、本実施形態におけるオペレータ側表示器２の表示画面の視野角は、通常は広視野角に設定され、表示される画像データに個人情報が含まれている場合には、自動的に表示画面の視野角を狭視野角に切り替える。そのため、別段の操作を要せず、必要なときだけ覗き見を防止することができる。また、個人情報が表示されていないときには表示画面は広視野角であり、表示内容が視認しにくくならないので十分な操作性が保たれる。
【００３２】
また、客面側表示器３の表示画面は、通常は広視野角に設定され、特定の操作キーが操作されたことに応じて狭視野角に切り替わる。そのため、客面側表示器３に個人情報の表示を伴う処理や、客にＹｅｓ／Ｎｏの選択を求める表示を伴う処理を実行する際には、確実に表示画面が狭視野角となり、客のプライバシーが保護される。
【００３３】
また、特定の操作キーが操作されたことに起因した処理が実行されていないときには、客面側表示器３の表示画面の視野角は広視野角に設定されるので、客はその間に表示されるコマーシャル情報などを視認し易い。すなわち、客面側表示器３への画面表示による宣伝効果が低下することはない。
【００３４】
次に、本発明の第２の実施形態について、図面を参照しながら説明する。  
本実施形態における商品販売データ処理装置１は、カードリーダ５によりクレジットカード、デビットカードまたはポイントカードなどの各種磁気カードの読み取りがなされた場合にオペレータ側表示器２の表示画面の視野角を狭視野角に設定する点で、前記実施形態と異なる。なお、商品販売データ処理装置１の構成などは前記実施形態と同一であるので、同一の符号を付して説明を省略する。
【００３５】
図５は、オペレータ側表示器２の視野角の切り替え処理において制御部１１が実行する処理の流れ図である。この処理は、キーボード４に設けられた磁気カードの読み取りを宣言するための操作キーであるカードキーが操作されたことをトリガとして、ＲＯＭ１２に記憶された動作プログラムに基づいて実行される。  
先ず、制御部１１は、ＳＴ３０１としてカードリーダ５による磁気カードの読み取りを待つ。そして、カードリーダ５に磁気カードがスライドされ、当該磁気カードが読み取られた場合には（ＳＴ３０１のＹｅｓ）、ＳＴ３０２として偏光板２ｃに対して狭視野角状態に移行すべき旨の制御信号を出力する。この信号を受けた偏光板２ｃは、狭視野角状態にある場合にはそのまま狭視野角状態を維持し、広視野角状態にある場合には所定の電圧信号の印加を開始して狭視野角状態に切り替わる。
【００３６】
このように、オペレータ側表示器２の狭視野角状態への切り替えを行った後、制御部１１は、ＳＴ３０３としてカードリーダ５により磁気カードから読み取られた情報を表示するための画像データを作成し、当該画像データを液晶表示制御部１４に出力する。この画像データを受け取った液晶表示制御部１４は、当該画像データに基づく表示信号を液晶パネル２ｂに出力する。表示信号の出力を受けた液晶パネル２ｂは、表示信号に従って画面を表示する。このとき表示される情報は、例えばカードリーダ５により読み取られた磁気カードがクレジットカードであったならばクレジットカード番号や持ち主の氏名などであり、ポイントカードであったならば顧客の氏名や当該顧客に付与されたポイント数などである。
【００３７】
このようにオペレータ側表示器２に磁気カードに記憶された情報が表示された後、制御部１１は、ＳＴ３０４として当該カードの読み取りに伴う一連の処理の完了を待つ。そして、一連の処理が完了したならば（ＳＴ３０４のＹｅｓ）、ＳＴ３０５として偏光板２ｃに対して広視野角状態に移行すべき旨の制御信号を出力する。この信号を受けた偏光板２ｃは、広視野角状態にある場合にはそのまま広視野角状態を維持し、狭視野角状態にある場合には所定の電圧信号の印加を停止して広視野角状態に切り替わる。以上で、当該処理を終了する。
【００３８】
なお、制御部１１が、ＳＴ３０１〜３０５にてカードリーダ５により磁気カードが読み取られたとき、偏光板２ｃを動作させてオペレータ側表示器２の表示画面の視野角を狭視野角に設定させ、磁気カードの読み取りに伴う一連の処理が完了したとき、偏光板２ｃの動作を停止させてオペレータ側表示器２の表示画面の視野角を広視野角に設定させる処理は、商品販売データ処理装置１の処理状態に応じて視野角を制御する視野角制御手段を構成する。
【００３９】
以上説明したように、本実施形態にかかる商品販売データ処理装置１は、磁気カードの読み取りがあったか否かに応じてオペレータ側表示器２の表示画面の視野角を切り替える。そのため、磁気カードに記憶された情報に基づいて個人情報が表示画面に表示されるときには、確実にオペレータ側表示器２の表示画面が狭視野角状態に切り替わっているので、個人情報が覗き見される蓋然性が軽減され、客のプライバシーが十分保護される。
【００４０】
また、磁気カードの読み取りにより実行される一連の処理が完了したときには、自動的にオペレータ側表示器２の表示画面は広視野角に切り替わる。このように、狭視野角に切り換わるタイミングを個人情報表示の蓋然性が高い処理を実行するときに限定することで表示画像の視認性低下を最小限に止め、前記実施形態と同様に十分な操作性を保つことができる。
【００４１】
なお、この発明は前記各実施形態そのままに限定されるものではなく、実施段階においては、その要旨を逸脱しない範囲内にて各構成要素を適宜変形して具体化することができる。
【００４２】
例えば、オペレータ側表示器２および客面側表示器３の表示画面の視野角を狭視野角に切り換えるべき商品販売データ処理装置１の処理状態は、表示画面に個人情報が表示されるとき、特定の操作キーが操作されたとき、カードリーダ５により磁気カードが読み取られたときに限定されない。その他、不特定の者が見得ることが適当でない情報をオペレータ側表示器２または客面側表示器３に表示する処理を行う際に表示画面を狭視野角状態に切り換えるようにしてもよい。
【００４３】
また、上記各実施形態においては、液晶パネル２ｂとバックライトシステム２ｄとの間若しくは液晶パネル３ｂとバックライトシステム３ｄとの間に偏光板２ｃ若しくは偏光板３ｃを配置した場合について説明したが、偏光板２ｃ，３ｃの配置位置はこれに限定されない。例えば、オペレータ側表示器２は、タッチパネル２ａと液晶パネル２ｂとの間に偏光板２ｃを配置する構成であってもよいし、客面側表示器３は、タッチパネル３ａと液晶パネル３ｂとの間に偏光板３ｃを配置する構成であってもよい。
【００４４】
また、上記各実施形態においては、オペレータ側表示器２および客面側表示器３に液晶方式の表示器を採用した場合について説明したが、各表示器の方式は液晶方式に限定されない。例えば、ＦＥＤ（Field Emission Display：電界放出ディスプレイ）やプラズマディスプレイ、ＥＬ（Electro Luminescence：エレクトロルミネセンス）ディスプレイ、ＣＲＴ（Cathode Ray Tube：ブラウン管）ディスプレイなど、他の表示素子を採用してもよい。
【００４５】
また、上記各実施形態においては、オペレータ側表示器２および客面側表示器３の表示画面の視野角を広視野角または狭視野角のいずれかに設定する場合について説明したが、より多段階にオペレータ側表示器２および客面側表示器３の視野角を設定可能にしてもよい。例えば、狭視野角，広視野角に両者の中間の中視野角を加えた３段階に視野角を設定可能となるような偏光板２ｃ，３ｃを採用する。そして、表示画面に個人情報が表示されるとき、特定の操作キーが操作されたとき、カードリーダ５により磁気カードが読み取られたときなど商品販売データ処理装置１の処理状態に応じて、オペレータ側表示器２および客面側表示器３の表示画面の視野角を上記３段階の視野角のいずれかに設定するように制御する。このとき、オペレータ側表示器２および客面側表示器３の表示画面に表示される情報の機密度が高いほど視野角を狭く設定するように制御することなども有効である。かかる構成を採用することにより、より使用状況に応じた詳細な視野角の設定が可能である。
【００４６】
また、第１の実施形態においては、オペレータ側表示器２に表示する画像データに個人情報が含まれている場合にオペレータ側表示器２を狭視野角状態に設定するとしたが、客面側表示器３についても同様の処理を行ってもよい。同様に、特定の操作キーが操作された場合に客面側表示器３を狭視野角状態に設定するとしたが、オペレータ側表示器２についても同様の処理を行ってもよい。
【００４７】
また、第２の実施形態においては、カードリーダ５で磁気カードが読み取られたときオペレータ側表示器２を狭視野角状態に切り換えるとしたが、客面側表示器３についても同様の処理を行ってもよい。
【００４８】
また、第２の実施形態においては、カードリーダ５による磁気カードの読み取りに代えて、カード決済処理に類する機能を有する装置、例えば電子マネー機能を備えた携帯電話などの電子マネー媒体からの情報の読み取りに起因してオペレータ側表示器２を狭視野角状態に切り換えるようにしてもよい。この場合には、商品販売データ処理装置１に電子マネー媒体から情報を読み取るための読取装置を接続する。
【００４９】
この他、前記各実施形態に開示されている複数の構成要素の適宜な組合せにより種々の発明を形成することができる。例えば、前記各実施形態に示される全体構成要素から幾つかの構成要素を削除してもよい。さらに、異なる実施形態に亘る構成要素を組合せてもよい。
【図面の簡単な説明】
【００５０】
【図１】本発明の第１の実施形態における商品販売データ処理装置の外観斜視図。
【図２】同実施形態における制御回路を示すブロック図。
【図３】同実施形態において制御部が実行する処理の流れ図。
【図４】同実施形態において制御部が実行する処理の流れ図。
【図５】本発明の第２の実施形態において制御部が実行する処理の流れ図。
【符号の説明】
【００５１】
１…商品販売データ処理装置、２…オペレータ側表示器、２ａ，３ａ…タッチパネル、２ｂ，３ｂ…液晶パネル、２ｃ，３ｃ…偏光板、２ｄ，３ｄ…バックライトシステム、３…客面側表示器、４…キーボード、５…カードリーダ、１０…制御ユニット、１１…制御部、１２…ＲＯＭ、１３…ＲＡＭ、１４…液晶表示制御部、１５…タッチパネルコントローラ
【図１】
2010128704.tif 000003
【図２】
2010128704.tif 000004
【図３】
2010128704.tif 000005
【図４】
2010128704.tif 000006
【図５】
2010128704.tif 000007
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
各種情報を表示する表示手段を備えた商品販売データ処理装置において、
前記表示手段の表示画面の視野角を第１の視野角又はこの第１の視野角よりも狭い第２の視野角に設定する視野角設定手段と、
当該商品販売データ処理装置の処理状態に応じて前記視野角設定手段を動作させて、前記表示手段の表示画面の視野角を前記第１の視野角又は前記第２の視野角に設定させる視野角制御手段とを備えてなることを特徴とする商品販売データ処理装置。
【請求項２】
前記視野角制御手段は、前記表示手段に個人情報が表示されている間、前記視野角設定手段に前記表示画面の視野角を前記第２の視野角に設定させることを特徴とする請求項１に記載の商品販売データ処理装置。
【請求項３】
各種操作キーを有する入力手段をさらに備え、
前記視野角制御手段は、前記入力手段が備える操作キーのうち、その操作により個人情報の表示を伴う特定の操作キーが操作されたことに応じて前記視野角設定手段に前記表示画面の視野角を前記第２の視野角に設定させることを特徴とする請求項１に記載の商品販売データ処理装置。
【請求項４】
磁気カードを読み取るカード読取手段をさらに備え、
前記視野角制御手段は、前記カード読取手段により磁気カードが読み取られたとき、前記視野角設定手段に前記表示手段の表示画面の視野角を前記第２の視野角に設定させ、磁気カードの読み取りに伴う一連の処理が完了したとき、前記視野角設定手段に前記表示手段の表示画面の視野角を前記第１の視野角に設定させることを特徴とする請求項１に記載の商品販売データ処理装置。
【請求項５】
前記表示手段は、オペレータ側表示手段と、客面側表示手段とで構成され、
前記オペレータ側表示手段又は前記客面側表示手段の少なくとも一方が、前記視野角設定手段により視野角を前記第１の視野角又は前記第２の視野角に設定可能であることを特徴とする請求項１乃至４のうちいずれか１に記載の商品販売データ処理装置。
【請求項６】
各種情報を表示する表示手段と、この表示手段の表示画面の視野角を第１の視野角又はこの第１の視野角よりも狭い第２の視野角に設定する視野角設定手段とを備えた商品販売データ処理装置の制御プログラムであって、
前記商品販売データ処理装置に、処理状態に応じて前記視野角設定手段を動作させて前記表示手段の表示画面の視野角を前記第１の視野角又は前記第２の視野角に設定させる視野角制御機能を実現させるための制御プログラム。
【請求項７】
各種情報を表示する表示手段と、この表示手段の表示画面の視野角を第１の視野角又はこの第１の視野角よりも狭い第２の視野角に設定する視野角設定手段とを備えた商品販売データ処理装置の制御方法であって、
前記商品販売データ処理装置の処理状態を特定するステップと、
特定した処理状態に応じて前記視野角設定手段を動作させて、前記表示手段の表示画面の視野角を前記第１の視野角又は前記第２の視野角に設定させるステップと、
を備えてなることを特徴とする制御方法。
【手続補正３】
【補正対象書類名】明細書
【補正対象項目名】０００１
【補正方法】変更
【補正の内容】
【０００１】
本発明は、スーパーマーケットやコンビニエンスストア等の商品販売店舗にて会計処理に使用される商品販売データ処理装置、その制御プログラムおよび制御方法に関する。
【手続補正４】
【補正対象書類名】明細書
【補正対象項目名】０００９
【補正方法】変更
【補正の内容】
【０００９】
本発明は、上記のような事情に鑑みてなされたものであり、その目的は、操作性を保ったまま処理状態に応じて視野角を自動的に調整して覗き見を防止することができる商品販売データ処理装置、その制御プログラムおよび制御方法を提供することである。
【手続補正５】
【補正対象書類名】明細書
【補正対象項目名】００１０
【補正方法】変更
【補正の内容】
【００１０】
本発明は、各種情報を表示する表示手段を備えた商品販売データ処理装置において、前記表示手段の表示画面の視野角を第１の視野角又はこの第１の視野角よりも狭い第２の視野角に設定する視野角設定手段と、当該商品販売データ処理装置の処理状態に応じて前記視野角設定手段を動作させて、前記表示手段の表示画面の視野角を前記第１の視野角又は前記第２の視野角に設定させる視野角制御手段とを備えてなることを特徴としている。
【手続補正６】
【補正対象書類名】明細書
【補正対象項目名】００１１
【補正方法】変更
【補正の内容】
【００１１】
かかる手段を講じた本発明によれば、操作性を保ったまま処理状態に応じて視野角を自動的に調整して覗き見を防止することができる商品販売データ処理装置、その制御プログラムおよび制御方法を提供することができる。